(57)【要約】  判定装置は、画面上のランダムな位置を特定するターゲット画像を表示し、それに対するユーザの指定位置を取得する。そして、判定装置は、ターゲット画像の位置と、指定位置とが一致するか否かを判定し、一致すると判定された回数が所定の必要一致回数に達した場合に、認証を成功と判定する。
2013094065.tif 000002
【特許請求の範囲】
【請求項１】
（ｉ）画面上の位置を任意に特定する画像であるターゲット画像を順次、前記画面上の位置を任意に変えながら、または、
（ｉｉ）画面上の位置を任意に特定する画像であるターゲット画像を複数同時に、
前記画面上へ表示させる画像制御手段と、
前記画面上で指定された指定位置を取得する取得手段と、
前記画面上に表示されたターゲット画像の位置が所定の順番通りに指定されたかを判定する判定手段と、を備えることを特徴とする判定装置。
【請求項２】
ネットワークを介して端末装置と接続される判定装置であって、
（ｉ）画面上の位置を任意に特定する画像であるターゲット画像を順次、前記画面上の位置を任意に変えながら、または、
（ｉｉ）画面上の位置を任意に特定する画像であるターゲット画像を複数同時に、
前記ネットワークを介して送信して前記端末装置の画面に表示させる画像制御手段と、
前記端末装置の画面上で指定された指定位置を、前記ネットワークを介して取得する取得手段と、
前記画面上に表示されたターゲット画像の位置が所定の順番通りに指定されたかを判定する判定手段と、を備えることを特徴とする判定装置。
【請求項３】
第１及び第２の接続手段を介して表示装置と接続される判定装置であって、
（ｉ）画面上の位置を任意に特定する画像であるターゲット画像を順次、前記画面上の位置を任意に変えながら、または、
（ｉｉ）画面上の位置を任意に特定する画像であるターゲット画像を複数同時に、
前記第１の接続手段を介して送信して前記表示装置の画面に表示させる画像制御手段と、
前記表示装置の画面上で指定された指定位置を前記第２の接続手段を介して取得する取得手段と、
前記画面上に表示されたターゲット画像の位置が所定の順番通りに指定されたかを判定する判定手段と、を備えることを特徴とする判定装置。
【請求項４】
前記画像制御手段は、前記ターゲット画像を１つ表示し、前記判定手段が前記ターゲット画像の位置が所定の順番通り指定されたと判定した場合には、新しいターゲット画像を順次１つずつ表示することを特徴とする請求項１乃至３のいずれか一項に記載の判定装置。
【請求項５】
前記画像制御手段は、ターゲット画像を複数同時に表示し、
前記ターゲット画像の各々は順番を示す不明瞭な文字を含む画像であり、
前記判定手段は、前記複数のターゲット画像について、前記順番を示す不明瞭な文字の順に指定されたかを判定することを特徴とする請求項１乃至３のいずれか一項に記載の判定装置。
【請求項６】
前記ターゲット画像は、画像の輪郭が不明瞭となっていることを特徴とする請求項１乃至５のいずれか一項に記載の判定装置。
【請求項７】
さらに、前記判定手段が前記ターゲット画像の位置が所定の順番通りに指定されたと判定した一致回数が所定の必要一致回数に達した場合に、認証成功と判定する認証判定手段を備えることを特徴とする請求項１乃至６のいずれか一項に記載の判定装置。
【請求項８】
前記認証判定手段は、前記判定手段が前記ターゲット画像の位置が所定の順番通りに指定されていないと判定した不一致回数が所定の許容不一致回数を超えたときには、そのときの一致回数をリセットすることを特徴とする請求項７に記載の判定装置。
【請求項９】
前記ターゲット画像は、前記画面上にユーザがなぞるべきルートを表示した画像であり、前記ルートはランダムに描画されることを特徴とする請求項１乃至３のいずれか一項に記載の判定装置。
【請求項１０】
前記ターゲット画像は、複数のピースを組み合わせて１つの集合ピースを形成するパズルの画像であり、前記複数のピースの形状及び個数はランダムに決定されることを特徴とする請求項１乃至３のいずれか一項に記載の判定装置。
【請求項１１】
表示部を備える判定装置が実行する判定方法であって、
（ｉ）画面上の位置を任意に特定する画像であるターゲット画像を順次、前記画面上の位置を任意に変えながら、または、
（ｉｉ）画面上の位置を任意に特定する画像であるターゲット画像を複数同時に、
前記表示部の画面上へ表示させる画像制御工程と、
前記画面上で指定された指定位置を取得する取得工程と、
前記画面上に表示されたターゲット画像の位置が所定の順番通りに指定されたかを判定する判定工程と、を備えることを特徴とする判定方法。
【請求項１２】
ネットワークを介して端末装置と接続される判定装置が実行する判定方法であって、
（ｉ）画面上の位置を任意に特定する画像であるターゲット画像を順次、前記画面上の位置を任意に変えながら、または、
（ｉｉ）画面上の位置を任意に特定する画像であるターゲット画像を複数同時に、
前記ネットワークを介して送信して前記端末装置の画面に表示させる画像制御工程と、
前記端末装置の画面上で指定された指定位置を、前記ネットワークを介して取得する取得工程と、
前記画面上に表示されたターゲット画像の位置が所定の順番通りに指定されたかを判定する判定工程と、を備えることを特徴とする判定方法。
【請求項１３】
第１及び第２の接続手段を介して表示装置と接続される判定装置が実行する判定方法であって、
（ｉ）画面上の位置を任意に特定する画像であるターゲット画像を順次、前記画面上の位置を任意に変えながら、または、
（ｉｉ）画面上の位置を任意に特定する画像であるターゲット画像を複数同時に、
前記第１の接続手段を介して送信して前記表示装置の画面に表示させる画像制御工程と、
前記表示装置の画面上で指定された指定位置を前記第２の接続手段を介して取得する取得工程と、
前記画面上に表示されたターゲット画像の位置が所定の順番通りに指定されたかを判定する判定工程と、を備えることを特徴とする判定方法。
【請求項１４】
表示部を備える判定装置により実行される判定プログラムであって、
（ｉ）画面上の位置を任意に特定する画像であるターゲット画像を順次、前記画面上の位置を任意に変えながら、または、
（ｉｉ）画面上の位置を任意に特定する画像であるターゲット画像を複数同時に、
前記表示部の画面上へ表示させる画像制御工程と、
前記画面上で指定された指定位置を取得する取得工程と、
前記画面上に表示されたターゲット画像の位置が所定の順番通りに指定されたかを判定する判定工程と、を前記判定装置に実行させることを特徴とする判定プログラム。
【請求項１５】
ネットワークを介して端末装置と接続される判定装置により実行される判定プログラムであって、
（ｉ）画面上の位置を任意に特定する画像であるターゲット画像を順次、前記画面上の位置を任意に変えながら、または、
（ｉｉ）画面上の位置を任意に特定する画像であるターゲット画像を複数同時に、
前記ネットワークを介して送信して前記端末装置の画面に表示させる画像制御工程と、
前記端末装置の画面上で指定された指定位置を、前記ネットワークを介して取得する取得工程と、
前記画面上に表示されたターゲット画像の位置が所定の順番通りに指定されたかを判定する判定工程と、を前記判定装置に実行させることを特徴とする判定プログラム。
【請求項１６】
第１及び第２の接続手段を介して表示装置と接続される判定装置により実行される判定プログラムであって、
（ｉ）画面上の位置を任意に特定する画像であるターゲット画像を順次、前記画面上の位置を任意に変えながら、または、
（ｉｉ）画面上の位置を任意に特定する画像であるターゲット画像を複数同時に、
前記第１の接続手段を介して送信して前記表示装置の画面に表示させる画像制御工程と、
前記表示装置の画面上で指定された指定位置を前記第２の接続手段を介して取得する取得工程と、
前記画面上に表示されたターゲット画像の位置が所定の順番通りに指定されたかを判定する判定工程と、を前記判定装置に実行させることを特徴とする判定プログラム。
【請求項１７】
請求項１４乃至１６のいずれか一項に記載の判定プログラムを記憶したことを特徴とする記憶媒体。
【発明の詳細な説明】
【技術分野】
【０００１】
本発明は、人間による機器操作が行われているかの判定を行う手法に関する。
【背景技術】
【０００２】
近年、インターネット上のウェブサイトなどでは、ユーザの入力に基づいて認証を行うものが多い。この種の認証方法として、文字を歪ませた画像をユーザに提示し、そこに書かれた文字列を入力させることでコンピュータによる自動解析を防止した「ＣＡＰＴＣＨＡ」（登録商標）などを利用した認証方法が知られている。これは操作者が人間であることを判定することを目的とするものである。【０００３】
また、特許文献１は、画像中の文字を認識する機能を有する「ボット」による読取を困難にすることによりセキュリティを向上する認証方法を記載している。
【先行技術文献】
【特許文献】
【０００４】
【特許文献１】特開２００８−２６２５４９号公報
【発明の概要】
【発明が解決しようとする課題】
【０００５】
特許文献１の手法はボットによる読取を困難にしているが、ユーザは不明瞭な画像に埋め込まれている文字、記号を読み取って入力しなければならず、操作が煩わしい。このような作業は、特に老人や子供などには困難である。【０００６】
本発明が解決しようとする課題としては、上記のものが例として挙げられる。本発明は、ボットによる読取を困難にしつつ、簡単な操作で操作者が人間であることを判定することが可能な入力判定手法を提供することを目的とする。
【課題を解決するための手段】
【０００７】
請求項１に記載の発明は、判定装置であって、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記画面上へ表示させる画像制御手段と、前記画面上で指定された指定位置を取得する取得手段と、前記画面上に表示されたターゲット画像の位置が所定の順番通りに指定されたかを判定する判定手段と、を備えることを特徴とする。【０００８】
請求項２に記載の発明は、ネットワークを介して端末装置と接続される判定装置であって、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記ネットワークを介して送信して前記端末装置の画面に表示させる画像制御手段と、前記端末装置の画面上で指定された指定位置を、前記ネットワークを介して取得する取得手段と、前記画面上に表示されたターゲット画像の位置が所定の順番通りに指定されたかを判定する判定手段と、を備えることを特徴とする。【０００９】
請求項３に記載の発明は、第１及び第２の接続手段を介して表示装置と接続される判定装置であって、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記第１の接続手段を介して送信して前記表示装置の画面に表示させる画像制御手段と、前記表示装置の画面上で指定された指定位置を前記第２の接続手段を介して取得する取得手段と、前記画面上に表示されたターゲット画像の位置が所定の順番通りに指定されたかを判定する判定手段と、を備えることを特徴とする。【００１０】
請求項１１に記載の発明は、表示部を備える判定装置が実行する判定方法であって、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記表示部の画面上へ表示させる画像制御工程と、前記画面上で指定された指定位置を取得する取得工程と、前記画面上に表示されたターゲット画像の位置が所定の順番通りに指定されたかを判定する判定工程と、を備えることを特徴とする。【００１１】
請求項１２に記載の発明は、ネットワークを介して端末装置と接続される判定装置が実行する判定方法であって、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記ネットワークを介して送信して前記端末装置の画面に表示させる画像制御工程と、前記端末装置の画面上で指定された指定位置を、前記ネットワークを介して取得する取得工程と、前記画面上に表示されたターゲット画像の位置が所定の順番通りに指定されたかを判定する判定工程と、を備えることを特徴とする。【００１２】
請求項１３に記載の発明は、第１及び第２の接続手段を介して表示装置と接続される判定装置が実行する判定方法であって、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記第１の接続手段を介して送信して前記表示装置の画面に表示させる画像制御工程と、前記表示装置の画面上で指定された指定位置を前記第２の接続手段を介して取得する取得工程と、前記画面上に表示されたターゲット画像の位置が所定の順番通りに指定されたかを判定する判定工程と、を備えることを特徴とする。【００１３】
請求項１４に記載の発明は、表示部を備える判定装置により実行される判定プログラムであって、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記表示部の画面上へ表示させる画像制御工程と、前記画面上で指定された指定位置を取得する取得工程と、前記画面上に表示されたターゲット画像の位置が所定の順番通りに指定されたかを判定する判定工程と、を前記判定装置に実行させることを特徴とする。【００１４】
請求項１５に記載の発明は、ネットワークを介して端末装置と接続される判定装置により実行される判定プログラムであって、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記ネットワークを介して送信して前記端末装置の画面に表示させる画像制御工程と、前記端末装置の画面上で指定された指定位置を、前記ネットワークを介して取得する取得工程と、前記画面上に表示されたターゲット画像の位置が所定の順番通りに指定されたかを判定する判定工程と、を前記判定装置に実行させることを特徴とする。【００１５】
請求項１６に記載の発明は、第１及び第２の接続手段を介して表示装置と接続される判定装置により実行される判定プログラムであって、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記第１の接続手段を介して送信して前記表示装置の画面に表示させる画像制御工程と、前記表示装置の画面上で指定された指定位置を前記第２の接続手段を介して取得する取得工程と、前記画面上に表示されたターゲット画像の位置が所定の順番通りに指定されたかを判定する判定工程と、を前記判定装置に実行させることを特徴とする。
【図面の簡単な説明】
【００１６】
【図１】第１実施例に係る判定装置の概略構成を示すブロック図である。
【図２】判定処理における表示画面例を示す。
【図３】第１実施例による判定処理のフローチャートである。
【図４】第２実施例に係る判定装置の概略構成を示すブロック図である。
【図５】第２実施例における判定処理のフローチャートである。
【図６】第３実施例に係る判定装置の概略構成を示すブロック図である。
【図７】第３実施例における判定処理のフローチャートである。
【図８】判定処理における他の表示画面例を示す。
【発明を実施するための形態】
【００１７】
本発明の好適な実施形態では、判定装置は、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記画面上へ表示させる画像制御手段と、前記画面上で指定された指定位置を取得する取得手段と、前記画面上に表示されたターゲット画像の位置が所定の順番通りに指定されたかを判定する判定手段と、を備える。
【００１８】
上記の判定装置は、画面上の位置を任意に特定する複数のターゲット画像を表示し、それに対するユーザの指定位置を取得する。そして、判定装置は、画面上に表示されたターゲット画像の位置が所定の順番通りにユーザに指定されたかを判定する。これにより、ユーザにとって簡便な方法で、操作者が人間であることを判定することができる。
【００１９】
本発明の他の好適な実施形態では、ネットワークを介して端末装置と接続される判定装置は、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記ネットワークを介して送信して前記端末装置の画面に表示させる画像制御手段と、前記端末装置の画面上で指定された指定位置を、前記ネットワークを介して取得する取得手段と、前記画面上に表示されたターゲット画像の位置が所定の順番通りに指定されたかを判定する判定手段と、を備える。
【００２０】
上記の判定装置は、画面上の位置を任意に特定する複数のターゲット画像を生成し、ネットワークを介して送信して端末装置の画面上に表示させる。そして、表示されたターゲット画像に対するユーザの指定位置をネットワークを介して取得する。そして、判定装置は、端末装置の画面上に表示されたターゲット画像の位置が所定の順番通りにユーザに指定されたかを判定する。これにより、ユーザにとって簡便な方法で、操作者が人間であることを判定することができる。
【００２１】
本発明の他の好適な実施形態では、第１及び第２の接続手段を介して表示装置と接続される判定装置は、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記第１の接続手段を介して送信して前記表示装置の画面に表示させる画像制御手段と、前記表示装置の画面上で指定された指定位置を前記第２の接続手段を介して取得する取得手段と、前記画面上に表示されたターゲット画像の位置が所定の順番通りに指定されたかを判定する判定手段と、を備える。
【００２２】
上記の判定装置は、画面上の位置を任意に特定する複数のターゲット画像を生成し、第１の接続手段を介して送信して表示装置の画面上に表示させる。また、判定装置は、第２の接続手段を介して、表示装置に表示されたターゲット画像に対するユーザの指定位置を取得する。そして、判定装置は、画面上に表示されたターゲット画像の位置が所定の順番通りにユーザに指定されたかを判定する。これにより、ユーザにとって簡便な方法で、操作者が人間であることを判定することができる。
【００２３】
上記の判定装置の一態様では、前記画像制御手段は、前記ターゲット画像を１つ表示し、前記判定手段がターゲット画像の位置が所定の順番通りに指定された、つまり一致したと判定した場合には、新しいターゲット画像を順次１つずつ表示する。
【００２４】
上記の判定装置の他の一態様では、前記画像制御手段は、複数のターゲット画像を同時に表示し、前記判定手段は、画面上に表示されたターゲット画像の位置が所定の順番通りにユーザに指定されたかを判定する。この場合、好ましくは、前記ターゲット画像の各々は順番を示す不明瞭な文字を含む画像であり、前記判定手段は、前記複数のターゲット画像について、前記順番を示す不明瞭な文字の順に指定されたかを判定する。
【００２５】
好適な例では、前記ターゲット画像は、画像の輪郭が不明瞭となっている。
【００２６】
他の好適な例では、前記ターゲット画像は、前記画面上にユーザがなぞるべきルートを表示した画像であり、前記ルートはランダムに描画される。
【００２７】
さらに他の好適な例では、前記ターゲット画像は、複数のピースを組み合わせて１つの集合ピースを形成するパズルの画像であり、前記複数のピースの形状及び個数はランダムに決定される。
【００２８】
いずれの実施形態においても好適な例では、判定手段が、ユーザによりターゲット画像の位置が所定の順番通りに指定されたと判定した一致回数が、所定の必要一致回数に達した場合には、認証成功と判定する。また、判定手段がユーザによりターゲット画像の位置が所定の順番通りに指定されていないと判定した不一致回数が所定の許容不一致回数を超えたときには、そのときの一致回数をリセットする。これにより、判定の精度を向上させることができる。
【００２９】
本発明の他の好適な実施形態では、表示部を備える判定装置が実行する判定方法は、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記表示部の画面上へ表示させる画像制御工程と、前記画面上で指定された指定位置を取得する取得工程と、前記画面上に表示されたターゲット画像の位置が所定の順番通りに指定されたかを判定する判定工程と、を備える。
【００３０】
本発明の他の好適な実施形態では、ネットワークを介して端末装置と接続される判定装置が実行する判定方法であって、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記ネットワークを介して送信して前記端末装置の画面に表示させる画像制御工程と、前記端末装置の画面上で指定された指定位置を、前記ネットワークを介して取得する取得工程と、前記画面上に表示されたターゲット画像の位置が所定の順番通りに指定されたかを判定する判定工程と、を備える。
【００３１】
本発明の他の好適な実施形態では、第１及び第２の接続手段を介して表示装置と接続される判定装置が実行する判定方法であって、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記第１の接続手段を介して送信して前記表示装置の画面に表示させる画像制御工程と、前記表示装置の画面上で指定された指定位置を前記第２の接続手段を介して取得する取得工程と、前記画面上に表示されたターゲット画像の位置が所定の順番通りに指定されたかを判定する判定工程と、を備える。
【００３２】
以上の方法によっても、ユーザにとって簡便な方法で判定を行うことができる。
【００３３】
本発明の他の好適な実施形態では、表示部を備える判定装置により実行される判定プログラムであって、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記表示部の画面上へ表示させる画像制御工程と、前記画面上で指定された指定位置を取得する取得工程と、前記画面上に表示されたターゲット画像の位置が所定の順番通りに指定されたかを判定する判定工程と、を前記判定装置に実行させる。
【００３４】
本発明の他の好適な実施形態では、ネットワークを介して端末装置と接続される判定装置により実行される判定プログラムであって、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記ネットワークを介して送信して前記端末装置の画面に表示させる画像制御工程と、前記端末装置の画面上で指定された指定位置を、前記ネットワークを介して取得する取得工程と、前記画面上に表示されたターゲット画像の位置が所定の順番通りに指定されたかを判定する判定工程と、を前記判定装置に実行させる。
【００３５】
本発明の他の好適な実施形態では、第１及び第２の接続手段を介して表示装置と接続される判定装置により実行される判定プログラムであって、（ｉ）画面上の位置を任意に特定する画像であるターゲット画像を順次、前記画面上の位置を任意に変えながら、または、（ｉｉ）画面上の位置を任意に特定する画像であるターゲット画像を複数同時に、前記第１の接続手段を介して送信して前記表示装置の画面に表示させる画像制御工程と、前記表示装置の画面上で指定された指定位置を前記第２の接続手段を介して取得する取得工程と、前記画面上に表示されたターゲット画像の位置が所定の順番通りに指定されたかを判定する判定工程と、を前記判定装置に実行させる。
【００３６】
以上のプログラムによっても、ユーザにとって簡便な方法で判定を行うことができる。なお、上記のプログラムは記憶媒体に記憶して取り扱うことができる。
【実施例】
【００３７】
以下、図面を参照して本発明の好適な実施例について説明する。【００３８】
[第１実施例]
図１は、本発明の第１実施例に係る判定装置の構成を示す。判定装置１００は、制御部１０と、モニタ１１と、タッチパネルポインティングデバイス（以下、「タッチパネル」と呼ぶ。）１２と、を備える。【００３９】
モニタ１１は、例えば液晶ディスプレイであり、ユーザに提示すべき情報が表示される。タッチパネル１２はモニタ１１上に重ねて配置され、モニタ１１に表示された画像に対してユーザがタッチした位置のＸＹ座標を入力位置座標として取得する。【００４０】
制御部１０は、ハードウェア的にはＣＰＵ、ＲＡＭ、ＲＯＭなどにより構成され、ＲＯＯＭなどに記憶されたプログラムを実行することにより各種の処理を行う。制御部１０は、機能的にはターゲット画像生成部１３、一致判定部１４及び認証判定部１５を備える。【００４１】
認証判定部１５は、ターゲット画像生成部１３を制御し、判定処理に使用される認証画像を生成させる。ここで、認証画像は、モニタ１１の画面上のランダムな位置を指定、特定する画像であり、以下これを「ターゲット画像」とも呼ぶ。ターゲット画像生成部１３は、生成したターゲット画像をモニタ１１へ出力する。なお、ターゲット画像生成部１３は、ターゲット画像として表示する画像データを生成するとともに、そのターゲット画像を表示すべきモニタ１１上の位置（「ターゲット位置」と呼ぶ。）の座標（「ターゲット位置座標」と呼ぶ。）を生成し、モニタ１１に供給する。モニタ１１は、入力されたターゲット画像を、入力されたターゲット位置に表示する。こうして、ターゲット画像がユーザに対して提示される。また、ターゲット画像生成部１３は、生成したターゲット位置座標を一致判定部１４にも供給する。【００４２】
ユーザは、モニタ１１に表示されたターゲット画像が示す位置を指などによりタッチする。モニタ１１に重ねて配置されているタッチパネル１２は、ユーザがタッチした位置を検出し、そのＸＹ座標を入力座標として一致判定部１４へ供給する。一致判定部１４は、ターゲット画像生成部１３から取得しているターゲット位置座標と、タッチパネル１２から取得した入力座標とに基づいて、ターゲット画像が示す位置にユーザがタッチした否かを判定する。具体的には、一致判定部１４は、ターゲット位置座標と、入力座標とが一致しているか否かを判定する。そして、一定判定部１４は、それらの座標が一致しているか否かの判定結果を認証判定部１５に送る。【００４３】
図２はモニタ１１に表示されたターゲット画像の例を示す。図示のように、モニタ１１には、ターゲット画像として、輪郭がぼやけた雲の如きマーク３が表示される。ユーザ５は、指などによりマーク３にタッチする。この例では、マーク３は中央部分の濃度が高く、周辺部分の濃度が低くなっており、輪郭は不明瞭に見える。ターゲット位置座標は、このマーク３の領域の座標となる。即ち、ターゲット画像が示す位置はマーク３の円形の領域であり、ユーザがタッチした入力座標がこの円形の領域に属していれば、一致判定部１４は座標が一致したと判定し、一致判定結果を「一致」とする。一方、ユーザがタッチした入力座標がこの円形の領域に属していなければ、一致判定部１４は座標が不一致であると判定し、一致判定結果を「不一致」とする。そして、一致判定部１４は、一致判定結果を認証判定部１５へ供給する。上記の例では、ターゲット画像は円形の領域を示しているので、ターゲット位置座標はその円形の領域の座標の集合となる。このようにターゲット位置座標が点ではなく、一定の領域（広がり）を有する場合、一致判定部１４は入力座標がターゲット位置座標に属していれば両者が「一致」したと判定する。なお、以下では、一致判定部１３が「一致」と判定した回数を「一致回数」と呼び、「不一致」と判定した回数を「不一致回数」と呼ぶ。【００４４】
認証判定部１５は、一致判定部１４から入力された一致判定結果に基づいて、ターゲット画像生成部１３を制御する。具体的に、認証判定部１５は、一致判定部１４から一致判定結果を取得するたびに、ターゲット画像生成部１３を制御し、別の位置を示す新たなターゲット画像を生成してモニタ１１に表示させる。そして、一致判定部１４は、その新たなターゲット画像に対する一致判定部１４の一致判定結果を認証判定部１５へ供給する。【００４５】
こうして、認証判定部１５は、予め決められた回数にわたり「一致」との判定結果が得られたときに、認証成功と決定する。この予め決められた回数を「必要一致回数」と呼ぶ。例えば、必要一致回数が「４回」である場合、認証判定部１５は、一致判定部１４から「一致」との判定結果を得るたびに一致回数をカウントアップし、一致判定部１４から入力された「一致」との判定結果数が「４」に達したときに、認証成功と決定する。【００４６】
一方、認証判定部１５は、一致判定部１４からの判定結果が「不一致」である場合、それまでの一致回数をリセットする。よって、必要一致回数が「４」である場合、４回連続で判定結果が「一致」になるまで、ターゲット画像の表示と一致判定とが繰り返し実行される。【００４７】
次に、判定装置１００が実行する判定処理について説明する。図３は判定処理のフローチャートである。この処理は、制御部１０が予め用意されたプログラムを実行することにより実現される。また、図２は判定処理中の表示画面の変化を示す。【００４８】
まず、ターゲット画像生成部１３はターゲット画像を生成し、これをモニタ１１に表示する（ステップＳ１）。次に、一致判定部１４は、ユーザがタッチした位置の座標である入力座標をタッチパネル１２から取得し（ステップＳ２）、ターゲット画像生成部１３から取得したターゲット位置座標と一致するか否かを判定する（ステップＳ３）。ターゲット位置座標と入力座標とが一致しない場合（ステップＳ３；Ｎｏ）、認証判定部１５は一致回数を「０」にリセットし（ステップＳ４）、ステップＳ１へ戻る。【００４９】
一方、ターゲット位置座標と入力座標とが一致した場合（ステップＳ３；Ｙｅｓ）、認証判定部１５はそれまでの一致回数が必要一致回数に達したか否かを判定する（ステップＳ５）。上記の例では、認証判定部１５は、それまでの一致回数が「４」に達したか否かを判定する。【００５０】
一致回数が必要一致回数に達していない場合（ステップＳ５；Ｎｏ）、処理はステップＳ１へ戻る。よって、新たなターゲット画像が表示され、一致判定が行われる。一方、一致回数が必要一致回数に達した場合（ステップＳ５；Ｙｅｓ）、認証判定部１５は認証成功と判断してその旨を表示し（ステップＳ６）、処理を終了する。【００５１】
このように、本実施例では、ユーザは単にターゲット画像が示す位置にモニタ上でタッチすればよく、先に述べた先行技術のように、故意に読みにくく作成した文字列を読み取る必要が無い。よって、ユーザに負担の無い簡易な方法でユーザの判定を行うことができる。【００５２】
上記の例では、必要一致回数を４回としているが、本発明の適用はこれには限定されない。必要一致回数が多いほどセキュリティは高くなるが、ユーザの負担は増加する。よって、必要一致回数は、要求されるセキュリティのレベルを考慮して決定すればよい。【００５３】
上記の例では、ステップＳ３〜Ｓ４において、一致判定結果が１回でも不一致になると、それまでの一致回数が０にリセットされている。その代わりに、所定の許容不一致回数を予め決めておき、一致判定による不一致回数が許容不一致回数を超えたときに、それまでの一致回数をリセットすることとしてもよい。例えば、許容不一致回数を１回と定めた場合には、一致判定が２回連続して不一致になると、それまでの一致回数が０にリセットされる。【００５４】
この実施例においては、ターゲット画像は毎回ランダムな位置に発生する為、機械的に画面上の決まった位置をタッチするだけでは判定を成功させることはできない。したがって、操作者が人間であることを確認することができる。また、輪郭がぼやけた雲の如きマーク３をターゲット画像とすれば、前述の「ボット」による読取を困難にすることによりセキュリティを向上することができる。【００５５】
なお、図２の例では、最終的に４つのターゲット画像（マーク３）が表示されるが、新たなターゲット画像が表示されたときに古いターゲット画像も表示されたままとなっている。その代わりに、新たなターゲット画像を表示したときに、古いターゲット画像を消去することとしてもよい。例えば、蛍が飛来して留まった場所をユーザがタッチすると、蛍はまた飛び回り、またある場所に留まるとユーザがタッチする、というようなエンターテイメント性を持った認証画像を提供すれば、ユーザは判定操作のわずらわしさを感じることなく、ゲーム感覚で判定操作を実行することができる。【００５６】
[第２実施例]
次に、本発明の第２実施例について説明する。図４に第２実施例に係る判定装置の構成を示す。第１実施例では、制御部１０と、モニタ１１及びタッチパネル１２とが一体に構成されている。これに対し、図示のように、第２実施例の判定装置２００では、モニタ２１とタッチパネル２３を含む表示装置２０と、認証判定部３５などを含む制御装置３０とが別個に構成される。【００５７】
具体的に、表示装置２０と制御装置３０とは、それぞれ独立した装置として構成され、第１の接続手段４１及び第２の接続手段４２により通信可能に接続される。例えば、表示装置２０をカーナビゲーション装置などの車載機とし、制御装置３０をスマートフォンなどの端末装置とすることができる。この場合、第１の接続手段は、映像・音声データなどを送信するＨＤＭＩ（Ｈｉｇｎ  Ｄｅｆｉｎｉｔｉｏｎ  Ｍｕｌｔｉｍｅｄｉａ  ｉｎｔｅｒｆａｃｅ）とし、第２の接続手段をＢｌｕｅｔｏｏｔｈ（登録商標）、ＵＳＢケーブルなどとすることができる。【００５８】
表示装置２０は、モニタ２１と、受信部２２と、タッチパネル２３と、送信部２４とを備える。モニタ２１、タッチパネル２３は、第１実施例のモニタ１１、タッチパネル１２と同様である。【００５９】
制御装置３０は、送信部３１と、受信部３２と、ターゲット画像生成部３３と、一致判定部３４と、認証判定部３５とを備える。ターゲット画像生成部３３、一致判定部３４、認証判定部３５は、それぞれ第１実施例のターゲット画像生成部１３、一致判定部１４、認証判定部１５と同様である。【００６０】
ターゲット画像生成部３３が生成したターゲット画像は、送信部３１に供給され、第１の接続手段４１を介して表示装置２０の受信部２２により受信される。受信部２２により受信されたターゲット画像は、モニタ２１に表示され、ユーザに提示される。モニタ２１に表示されたターゲット画像の位置をユーザがタッチすると、タッチパネル２３がその入力座標を取得して送信部２４に供給し、送信部２４は第２の接続手段４２を介して入力座標を制御装置３０の受信部３２へ送信する。受信部３２により受信された入力座標は一致判定部３４に送られ、一致判定に使用される。【００６１】
このように、第２実施例では、表示装置２０と制御装置３０とを２つの接続手段４１、４２で接続した構成を有するものの、機能的には第１実施例と同様である。よって、ユーザは第１実施例と同様にモニタ２１上のターゲット画像にタッチするだけで判定処理を実行することができる。【００６２】
次に、判定装置２００が実行する判定処理について説明する。図５は判定処理のフローチャートである。この処理は、主として制御装置３０が予め用意されたプログラムを実行することにより実現される。【００６３】
まず、表示装置２０と制御装置３０との間で、第１の接続手段４１及び第２の接続手段４２を介した通信が確立される。具体的には、第１の接続手段４１を介して、制御装置３０の送信部３１が表示装置２０の受信部２２に第１の接続要求を送信し（ステップＳ２１）、表示装置２０の受信部２２がこれに応答することにより第１の接続が確立される（ステップＳ２２）。同様に、第２の接続手段４２を介して、制御装置３０の受信部３２が表示装置２０の送信部２４に第２の接続要求を送信し（ステップＳ２３）、表示装置２０の送信部２４がこれに応答することにより第２の接続が確立される（ステップＳ２４）。【００６４】
次に、ターゲット画像生成部３３はターゲット画像を生成し、これを第１の接続手段４１を介して表示装置２０へ送信し、モニタ１１に表示させる（ステップＳ２５）。次に、一致判定部３４は、ユーザがタッチした位置の座標である入力座標を、第２の接続手段４２を介してタッチパネル２３から取得し（ステップＳ２６）、ターゲット位置座標と入力座標とが一致するか否かを判定する（ステップＳ２７）。ターゲット位置座標と入力座標とが一致しない場合（ステップＳ２７；Ｎｏ）、認証判定部３５は一致回数を「０」にリセットし（ステップＳ２８）、処理はステップＳ２５へ戻る。【００６５】
一方、ターゲット位置座標と入力座標とが一致した場合（ステップＳ２７；Ｙｅｓ）、認証判定部３５はそれまでの一致回数が必要一致回数に達したか否かを判定する（ステップＳ２９）。【００６６】
一致回数が必要一致回数に達していない場合（ステップＳ２９；Ｎｏ）、処理はステップＳ２５へ戻る。一方、一致回数が必要一致回数に達した場合（ステップＳ２９；Ｙｅｓ）、認証判定部３５は認証成功と判断し（ステップＳ３０）、認証成功を表示装置２０へ通知する（ステップＳ３１）。これにより、判定が成功した旨がモニタ２１に表示され、ユーザは認証成功を知ることができる。こうして判定処理は終了する。【００６７】
このように、本実施例でも、ユーザは単にターゲット画像が示す位置にモニタ上でタッチすればよく、先に述べた先行技術のように、故意に読みにくく作成した文字列を読み取る必要が無い。よって、ユーザに負担の無い簡易な方法でユーザの判定を行うことができる。なお、必要一致回数及び許容不一致回数の決め方は、第１実施例と同様である。【００６８】
この実施例においては、ターゲット画像は毎回ランダムな位置に発生する為、機械的に画面上の決まった位置をタッチするだけでは判定を成功させることはできない。したがって、操作者が人間であることを確認することができる。また、第１の接続手段であるＨＤＭＩと、第２の接続手段であるＢｌｕｅｔｏｏｔｈが、判定装置と表示装置に同時に接続されていなければ判定操作はできないため、両者が適切に接続されていることを確認することができる。【００６９】
[第３実施例]
次に、本発明の第３実施例について説明する。図６に第３実施例に係る判定装置の構成を示す。第１実施例では、制御部１０と、モニタ１１及びタッチパネル１２とが一体に構成されている。これに対し、図示のように、第３実施例の判定装置３００は、モニタ５１とタッチパネル５２を含む端末装置５０と、認証判定部６５などを含むサーバ装置６０とにより構成される。【００７０】
具体的に、端末装置５０とサーバ装置６０とは、ネットワーク７を介して通信可能に接続される。例えば、端末装置は、ＰＣ、スマートフォンなどの携帯端末装置とすることができる。【００７１】
端末装置５０は、モニタ５１と、タッチパネル５２と、通信制御部５３とを備える。モニタ５１、タッチパネル５２は、第１実施例のモニタ１１、タッチパネル１２と同様である。【００７２】
サーバ装置６０は、通信制御部６１と、ターゲット画像生成部６３と、一致判定部６４と、認証判定部６５とを備える。ターゲット画像生成部６３、一致判定部６４、認証判定部６５は、それぞれ第１実施例のターゲット画像生成部１３、一致判定部１４、認証判定部１５と同様である。【００７３】
ターゲット画像生成部６３が生成したターゲット画像は、通信制御部６１に供給され、ネットワーク７を介して端末装置５０の通信制御部５３により受信される。通信制御部５３により受信されたターゲット画像は、モニタ５１に表示され、ユーザに提示される。モニタ５１に表示されたターゲット画像の位置をユーザがタッチすると、タッチパネル５２がその入力座標を取得して通信制御部５３に供給し、通信制御部５３はネットワーク７を介して入力座標をサーバ装置６０の通信制御部６１へ送信する。通信制御部６１により受信された入力座標は一致判定部６４に送られ、一致判定に使用される。【００７４】
このように、第３実施例では、端末装置５０とサーバ装置６０とをネットワーク７で通信可能に接続した構成を有するものの、機能的には第１実施例と同様である。よって、ユーザは第１実施例と同様にモニタ上のターゲット画像にタッチするだけで判定処理を実行することができる。【００７５】
次に、判定装置３００が実行する判定処理について説明する。図７は判定処理のフローチャートである。この処理は、主としてサーバ装置６０が予め用意されたプログラムを実行することにより実現される。【００７６】
まず、端末装置５０とサーバ装置６０との間で、ネットワーク７を介した通信が確立される。具体的には、ネットワーク７を介して、端末装置５０の通信制御部５３がサーバ装置６０の通信制御部６１に接続要求を送信し（ステップＳ４１）、サーバ装置６０の通信制御部６１がこれに応答することにより接続が確立される（ステップＳ４２）。【００７７】
次に、ターゲット画像生成部６３はターゲット画像を生成し、これをネットワーク７を介して端末装置２０へ送信し、モニタ５１に表示させる（ステップＳ４３）。次に、一致判定部６４は、ユーザがタッチした位置の座標である入力座標を、ネットワーク７を介してタッチパネル５２から取得し（ステップＳ４４）、ターゲット位置座標と入力座標とが一致するか否かを判定する（ステップＳ４５）。ターゲット位置座標と入力座標とが一致しない場合（ステップＳ４５；Ｎｏ）、認証判定部６５は一致回数を「０」にリセットし（ステップＳ４６）、処理はステップＳ４３へ戻る。【００７８】
一方、ターゲット位置座標と入力座標とが一致した場合（ステップＳ４５；Ｙｅｓ）、認証判定部６５はそれまでの一致回数が必要一致回数に達したか否かを判定する（ステップＳ４７）。【００７９】
一致回数が必要一致回数に達していない場合（ステップＳ４７；Ｎｏ）、処理はステップＳ４３へ戻る。一方、一致回数が必要一致回数に達した場合（ステップＳ４７；Ｙｅｓ）、認証判定部６５は認証成功と判断し（ステップＳ４８）、認証成功を端末装置５０へ通知する（ステップＳ４９）。これにより、判定が成功した旨がモニタ５１に表示され、ユーザは認証成功を知ることができる。こうして判定処理は終了する。【００８０】
このように、本実施例でも、ユーザは単にターゲット画像が示す位置にモニタ上でタッチすればよく、先に述べた先行技術のように、故意に読みにくく作成した文字列を読み取る必要が無い。よって、ユーザに負担の無い簡易な方法でユーザの判定を行うことができる。なお、必要一致回数及び許容不一致回数の決め方は、第１実施例と同様である。【００８１】
[変形例]
（ターゲット画像の他の例）
上記の実施例では、１つのターゲット画像は図２に示すように１つのマーク３であり、これが必要一致回数に至るまで順に表示される。その代わりに、必要一致回数に相当する数のターゲット画像（即ちマーク３）を同時に表示し、ユーザにターゲット画像を同時押しさせてもよい。この場合、一致判定部は、複数の入力座標に基づいて、同時に各マーク３がタッチされたか否かを判定し、その判定結果を認証判定部に供給する。認証判定部は、必要一致回数に相当する数のマーク３に対する入力の一致判定結果を取得し、全てが一致する場合に認証成功と判断すればよい。このような構成とすれば、ユーザの入力時間を短縮することができる。【００８２】
必要一致回数に相当する数のターゲット画像を同時に表示する場合の変形として、図８（ａ）に示すように、各ターゲット画像４は、ユーザがタッチすべき順序を示す数字を含むものとしてもよい。一致判定部は、入力座標に基づいて、各ターゲット画像４が所定の順番、つまり数字の順番通りにタッチされたか否かを判定し、その判定結果を認証判定部に供給する。認証判定部は、一致回数が必要一致回数に達しているか否かを判定する。そして、認証判定部は、全てのターゲット画像４が正しい順序でタッチされた場合に、認証成功と判定する。図８（ａ）では、順番を示す文字として数字を使っているが、数字以外の文字であってもよい。たとえば、順番に並べると意味を成すアルファベットなどでもよい。このターゲット画像４では、輪郭をぼやかし、かつ、表示される文字も多少ぼやかすなどして不明瞭にすることが好ましい。この様にすれば、前述の「ボット」による読取を困難にすることによりセキュリティを向上することができる。【００８３】
図８（ｂ）は、ターゲット画像のさらに他の例を示す。このターゲット画像は、スタート位置７１とゴール位置７２を含むルート７０を示す画像となっている。なお、ターゲット画像位置座標としては、スタート位置７１、ゴール位置７２の座標に加えて、ルート７０上の他の位置、例えばルートの屈曲点にあたる中間位置７３、７４の座標が使用される。この中間位置７３、７４はユーザが認識できるように表示しなくてもよい。ユーザは、タッチパネル上でスタート位置７１からゴール位置７２までルート７０上をなぞるように入力を行う。タッチパネルは、ユーザの入力を、ルート７０上のユーザがなぞった複数の入力座標の集合として取得する。一致判定部は、ユーザの入力座標が、ターゲット位置座標である、スタート位置７１、中間位置７３、７４、ゴール位置７２と一致しているかを判定する。認証判定部は、これら４つの位置で「一致」の判定結果が得られたときに、一致回数が必要一致回数に達したとし、認証成功と判定する。【００８４】
図８（ｃ）は、ターゲット画像のさらに他の例を示す。このターゲット画像は、複数のピース７５を含むジグソーパズルの画像である。この例では、最初は複数のピース７５がばらばらの位置に配置されており、各ピース７５をモニタの中央位置で組み合わせるようにユーザに要求する。ユーザは、各ピースをドラッグして移動させ、パズル完成時の状態である図８（ｃ）の状態を作る。図８（ｃ）の状態における各ピースの位置がターゲット座標位置となっている。タッチパネルは、ユーザが各ピース７５をドラッグした際の座標を入力座標として取得し、一致判定部はこの入力座標とターゲット座標位置とを比較して一致判定を行う。４つのピース７５の全てについて一致判定結果が「一致」とされた場合に、認証判定部は認証成功と判断する。【００８５】
このようなエンターテイメント性を持った認証画像を提供すれば、ユーザは判定操作のわずらわしさを感じることなく、ゲーム感覚で判定操作を実行することができる。【００８６】
（入力デバイス）
上記の実施例では、ユーザの入力デバイスはモニタ上に重ねて配置されたタッチパネルとしているが、本発明の適用はこれには限定されない。その代わりに、入力デバイスとしてマウスを使用してもよい。この場合、ユーザはタッチパネル上でタッチする代わりに、マウスを用いてターゲット画像の位置をクリックし、マウスはユーザがクリックした位置の座標を入力座標として取得して一致判定部に供給すればよい。
【産業上の利用可能性】
【００８７】
本発明は、コンピュータ端末、携帯端末などを利用してユーザが人間であることを判定する各種の装置に利用することができる。
【符号の説明】
【００８８】
７  ネットワーク
１１、２１、５１  モニタ
１２、２３、５２  タッチパネル
１３、３３、６３  ターゲット画像生成部
１４、３４、６４  一致判定部
１５、３５、６５  認証判定部
４１、４２  接続手段
【図１】
2013094065.tif 000003
【図２】
2013094065.tif 000004
【図３】
2013094065.tif 000005
【図４】
2013094065.tif 000006
【図５】
2013094065.tif 000007
【図６】
2013094065.tif 000008
【図７】
2013094065.tif 000009
【図８】
2013094065.tif 000010
【手続補正書】
【提出日】平成26年3月13日(2014.3.13)
【手続補正１】
【補正対象書類名】特許請求の範囲
【補正対象項目名】全文
【補正方法】変更
【補正の内容】
【特許請求の範囲】
【請求項１】
ターゲット画像を画面上に表示位置を任意に変えながら表示させる画像制御手段と、
前記画面上で指定された指定位置を取得する取得手段と、
前記画面上に表示されたターゲット画像に対応する位置が所定の順番通りに指定されたかを判定する判定手段と、
を備え、
前記画像制御手段は、前記ターゲット画像を１つ表示させ、前記ターゲット画像の位置が所定の順番通り指定されたと前記判定手段が判定した場合には、新しいターゲット画像を順次１つずつ表示させることを特徴とする判定装置。
【請求項２】
ターゲット画像を画面上に表示位置を任意に変えながら表示させる画像制御手段と、
前記画面上で指定された指定位置を取得する取得手段と、
前記画面上に表示されたターゲット画像に対応する位置が所定の順番通りに指定されたかを判定する判定手段と、
を備え、
前記画像制御手段は、ターゲット画像を複数同時に表示させ、
前記ターゲット画像の各々は順番を示す不明瞭な文字を含む画像であり、
前記判定手段は、前記複数のターゲット画像について、前記ターゲット画像に対応する位置が前記順番を示す不明瞭な文字の順に指定されたかを判定することを特徴とする判定装置。
【請求項３】
前記ターゲット画像は、画像の輪郭が不明瞭となっていることを特徴とする請求項１又は２に記載の判定装置。
【請求項４】
前記ターゲット画像に対応する位置が所定の順番通りに指定されたと前記判定手段が判定した一致回数が所定の必要一致回数に達した場合に、認証成功と判定する認証判定手段を備えることを特徴とする請求項１乃至３のいずれか一項に記載の判定装置。
【請求項５】
前記認証判定手段は、前記ターゲット画像に対応する位置が所定の順番通りに指定されていないと前記判定手段が判定した不一致回数が所定の許容不一致回数を超えたときには、そのときの一致回数をリセットすることを特徴とする請求項４に記載の判定装置。
【請求項６】
ターゲット画像を画面上へ表示させる画像制御手段と、
前記画面上で指定された指定位置を取得する取得手段と、
前記画面上に表示されたターゲット画像に対応する位置が所定の順番通りに指定されたかを判定する判定手段と、
を備え、
前記画像制御手段は、前記ターゲット画像として前記画面上の複数の位置を含むルートを示す画像をランダムに表示させ、
前記判定手段は、前記ターゲット画像に含まれる前記複数の位置が前記ルート上の順番通りに指定されたか否かを判定することを特徴とする判定装置。
【請求項７】
コンピュータを備える判定装置により実行される判定プログラムであって、
ターゲット画像を画面上に表示位置を任意に変えながら表示させる画像制御手段、
前記画面上で指定された指定位置を取得する取得手段、
前記画面上に表示されたターゲット画像に対応する位置が所定の順番通りに指定されたかを判定する判定手段、
として前記コンピュータを機能させ、
前記画像制御手段は、前記ターゲット画像を１つ表示させ、前記ターゲット画像の位置が所定の順番通り指定されたと前記判定手段が判定した場合には、新しいターゲット画像を順次１つずつ表示させることを特徴とする判定プログラム。
【請求項８】
コンピュータを備える判定装置により実行される判定プログラムであって、
ターゲット画像を画面上に表示位置を任意に変えながら表示させる画像制御手段、
前記画面上で指定された指定位置を取得する取得手段、
前記画面上に表示されたターゲット画像に対応する位置が所定の順番通りに指定されたかを判定する判定手段、
として前記コンピュータを機能させ、
前記画像制御手段は、ターゲット画像を複数同時に表示させ、
前記ターゲット画像の各々は順番を示す不明瞭な文字を含む画像であり、
前記判定手段は、前記複数のターゲット画像について、前記ターゲット画像に対応する位置が前記順番を示す不明瞭な文字の順に指定されたかを判定することを特徴とする判定プログラム。
【請求項９】
コンピュータを備える判定装置により実行される判定プログラムであって、
ターゲット画像を画面上へ表示させる画像制御手段、
前記画面上で指定された指定位置を取得する取得手段、
前記画面上に表示されたターゲット画像に対応する位置が所定の順番通りに指定されたかを判定する判定手段、
として前記コンピュータを機能させ、
前記画像制御手段は、前記ターゲット画像として前記画面上の複数の位置を含むルートを示す画像をランダムに表示させ、
前記判定手段は、前記ターゲット画像に含まれる前記複数の位置が前記ルート上の順番通りに指定されたか否かを判定することを特徴とする判定プログラム。
【手続補正３】
【補正対象書類名】明細書
【補正対象項目名】０００７
【補正方法】変更
【補正の内容】
【０００７】
請求項１に記載の発明は、判定装置であって、ターゲット画像を画面上に表示位置を任意に変えながら表示させる画像制御手段と、前記画面上で指定された指定位置を取得する取得手段と、前記画面上に表示されたターゲット画像に対応する位置が所定の順番通りに指定されたかを判定する判定手段と、を備え、前記画像制御手段は、前記ターゲット画像を１つ表示させ、前記ターゲット画像の位置が所定の順番通り指定されたと前記判定手段が判定した場合には、新しいターゲット画像を順次１つずつ表示させることを特徴とする。
【手続補正４】
【補正対象書類名】明細書
【補正対象項目名】０００８
【補正方法】変更
【補正の内容】
【０００８】
請求項２に記載の発明は、判定装置であって、ターゲット画像を画面上に表示位置を任意に変えながら表示させる画像制御手段と、前記画面上で指定された指定位置を取得する取得手段と、前記画面上に表示されたターゲット画像に対応する位置が所定の順番通りに指定されたかを判定する判定手段と、を備え、前記画像制御手段は、ターゲット画像を複数同時に表示させ、前記ターゲット画像の各々は順番を示す不明瞭な文字を含む画像であり、前記判定手段は、前記複数のターゲット画像について、前記ターゲット画像に対応する位置が前記順番を示す不明瞭な文字の順に指定されたかを判定することを特徴とする。
【手続補正５】
【補正対象書類名】明細書
【補正対象項目名】０００９
【補正方法】変更
【補正の内容】
【０００９】
請求項６に記載の発明は、判定装置であって、ターゲット画像を画面上へ表示させる画像制御手段と、前記画面上で指定された指定位置を取得する取得手段と、前記画面上に表示されたターゲット画像に対応する位置が所定の順番通りに指定されたかを判定する判定手段と、を備え、前記画像制御手段は、前記ターゲット画像として前記画面上の複数の位置を含むルートを示す画像をランダムに表示させ、前記判定手段は、前記ターゲット画像に含まれる前記複数の位置が前記ルート上の順番通りに指定されたか否かを判定することを特徴とする。
【手続補正６】
【補正対象書類名】明細書
【補正対象項目名】００１０
【補正方法】変更
【補正の内容】
【００１０】
請求項７に記載の発明は、コンピュータを備える判定装置により実行される判定プログラムであって、ターゲット画像を画面上に表示位置を任意に変えながら表示させる画像制御手段、前記画面上で指定された指定位置を取得する取得手段、前記画面上に表示されたターゲット画像に対応する位置が所定の順番通りに指定されたかを判定する判定手段、として前記コンピュータを機能させ、前記画像制御手段は、前記ターゲット画像を１つ表示させ、前記ターゲット画像の位置が所定の順番通り指定されたと前記判定手段が判定した場合には、新しいターゲット画像を順次１つずつ表示させることを特徴とする。
【手続補正７】
【補正対象書類名】明細書
【補正対象項目名】００１１
【補正方法】変更
【補正の内容】
【００１１】
請求項８に記載の発明は、コンピュータを備える判定装置により実行される判定プログラムであって、ターゲット画像を画面上に表示位置を任意に変えながら表示させる画像制御手段、前記画面上で指定された指定位置を取得する取得手段、前記画面上に表示されたターゲット画像に対応する位置が所定の順番通りに指定されたかを判定する判定手段、として前記コンピュータを機能させ、前記画像制御手段は、ターゲット画像を複数同時に表示させ、前記ターゲット画像の各々は順番を示す不明瞭な文字を含む画像であり、前記判定手段は、前記複数のターゲット画像について、前記ターゲット画像に対応する位置が前記順番を示す不明瞭な文字の順に指定されたかを判定することを特徴とする。
【手続補正８】
【補正対象書類名】明細書
【補正対象項目名】００１２
【補正方法】変更
【補正の内容】
【００１２】
請求項９に記載の発明は、コンピュータを備える判定装置により実行される判定プログラムであって、ターゲット画像を画面上へ表示させる画像制御手段、前記画面上で指定された指定位置を取得する取得手段、前記画面上に表示されたターゲット画像に対応する位置が所定の順番通りに指定されたかを判定する判定手段、として前記コンピュータを機能させ、前記画像制御手段は、前記ターゲット画像として前記画面上の複数の位置を含むルートを示す画像をランダムに表示させ、前記判定手段は、前記ターゲット画像に含まれる前記複数の位置が前記ルート上の順番通りに指定されたか否かを判定することを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
ターゲット画像を画面上に表示位置を任意に変えながら表示させる画像制御手段と、
前記画面上で指定された指定位置を取得する取得手段と、
前記画面上に表示されたターゲット画像に対応する位置が所定の順番通りに指定されたかを判定する判定手段と、
前記判定手段により前記ターゲット画像に対応する位置が所定の順番通りに指定されたと判定された回数に基づいて認証成功と判定する認証判定手段と、
を備え、
前記画像制御手段は、前記ターゲット画像を１つ表示させ、前記ターゲット画像の位置が所定の順番通り指定されたと前記判定手段が判定した場合には、新しいターゲット画像を順次１つずつ表示させることを特徴とする判定装置。
【請求項２】
ターゲット画像を画面上に表示位置を任意に変えながら表示させる画像制御手段と、
前記画面上で指定された指定位置を取得する取得手段と、
前記画面上に表示されたターゲット画像に対応する位置が所定の順番通りに指定されたかを判定する判定手段と、
前記判定手段により前記ターゲット画像に対応する位置が所定の順番通りに指定されたと判定された回数に基づいて認証成功と判定する認証判定手段と、
を備え、
前記画像制御手段は、ターゲット画像を複数同時に表示させ、
前記ターゲット画像の各々は順番を示す不明瞭な文字を含む画像であり、
前記判定手段は、前記複数のターゲット画像について、前記ターゲット画像に対応する位置が前記順番を示す不明瞭な文字の順に指定されたかを判定することを特徴とする判定装置。
【請求項３】
前記ターゲット画像は、画像の輪郭が不明瞭となっていることを特徴とする請求項１又は２に記載の判定装置。
【請求項４】
前記認証判定手段は、前記判定手段により前記ターゲット画像に対応する位置が所定の順番通りに指定されたと判定された回数である一致回数が所定の必要一致回数に達した場合に、認証成功と判定することを特徴とする請求項１乃至３のいずれか一項に記載の判定装置。
【請求項５】
前記認証判定手段は、前記ターゲット画像に対応する位置が所定の順番通りに指定されていないと前記判定手段が判定した不一致回数が所定の許容不一致回数を超えたときには、そのときの前記一致回数をリセットすることを特徴とする請求項４に記載の判定装置。
【請求項６】
ターゲット画像を画面上へ表示させる画像制御手段と、
前記画面上で指定された指定位置を取得する取得手段と、
前記画面上に表示されたターゲット画像に対応する位置が所定の順番通りに指定されたかを判定する判定手段と、
を備え、
前記画像制御手段は、前記ターゲット画像として前記画面上の複数の位置を含むルートを示す画像をランダムに表示させ、
前記判定手段は、前記ターゲット画像に含まれる前記複数の位置が前記ルート上の順番通りに指定されたと判定した場合に、認証成功と判定することを特徴とする判定装置。
【請求項７】
コンピュータを備える判定装置により実行される判定プログラムであって、
ターゲット画像を画面上に表示位置を任意に変えながら表示させる画像制御手段、
前記画面上で指定された指定位置を取得する取得手段、
前記画面上に表示されたターゲット画像に対応する位置が所定の順番通りに指定されたかを判定する判定手段、
前記判定手段により前記ターゲット画像に対応する位置が所定の順番通りに指定されたと判定された回数に基づいて認証成功と判定する認証判定手段と、
として前記コンピュータを機能させ、
前記画像制御手段は、前記ターゲット画像を１つ表示させ、前記ターゲット画像の位置が所定の順番通り指定されたと前記判定手段が判定した場合には、新しいターゲット画像を順次１つずつ表示させることを特徴とする判定プログラム。
【請求項８】
コンピュータを備える判定装置により実行される判定プログラムであって、
ターゲット画像を画面上に表示位置を任意に変えながら表示させる画像制御手段、
前記画面上で指定された指定位置を取得する取得手段、
前記画面上に表示されたターゲット画像に対応する位置が所定の順番通りに指定されたかを判定する判定手段、
前記判定手段により前記ターゲット画像に対応する位置が所定の順番通りに指定されたと判定された回数に基づいて認証成功と判定する認証判定手段と、
として前記コンピュータを機能させ、
前記画像制御手段は、ターゲット画像を複数同時に表示させ、
前記ターゲット画像の各々は順番を示す不明瞭な文字を含む画像であり、
前記判定手段は、前記複数のターゲット画像について、前記ターゲット画像に対応する位置が前記順番を示す不明瞭な文字の順に指定されたかを判定することを特徴とする判定プログラム。
【請求項９】
コンピュータを備える判定装置により実行される判定プログラムであって、
ターゲット画像を画面上へ表示させる画像制御手段、
前記画面上で指定された指定位置を取得する取得手段、
前記画面上に表示されたターゲット画像に対応する位置が所定の順番通りに指定されたかを判定する判定手段、
として前記コンピュータを機能させ、
前記画像制御手段は、前記ターゲット画像として前記画面上の複数の位置を含むルートを示す画像をランダムに表示させ、
前記判定手段は、前記ターゲット画像に含まれる前記複数の位置が前記ルート上の順番通りに指定されたと判定した場合に、認証成功と判定することを特徴とする判定プログラム。
【手続補正２】
【補正対象書類名】明細書
【補正対象項目名】０００７
【補正方法】変更
【補正の内容】
【０００７】
請求項１に記載の発明は、端末装置であって、ターゲット画像を画面上に表示位置を任意に変えながら表示させる画像制御手段と、前記画面上で指定された指定位置を取得する取得手段と、前記画面上に表示されたターゲット画像に対応する位置が所定の順番通りに指定されたかを判定する判定手段と、前記判定手段により前記ターゲット画像に対応する位置が所定の順番通りに指定されたと判定された回数に基づいて認証成功と判定する認証判定手段と、を備え、前記画像制御手段は、前記ターゲット画像を１つ表示させ、前記ターゲット画像の位置が所定の順番通り指定されたと前記判定手段が判定した場合には、新しいターゲット画像を順次１つずつ表示させることを特徴とする。
【手続補正３】
【補正対象書類名】明細書
【補正対象項目名】０００８
【補正方法】変更
【補正の内容】
【０００８】
請求項２に記載の発明は、判定装置であって、ターゲット画像を画面上に表示位置を任意に変えながら表示させる画像制御手段と、前記画面上で指定された指定位置を取得する取得手段と、前記画面上に表示されたターゲット画像に対応する位置が所定の順番通りに指定されたかを判定する判定手段と、前記判定手段により前記ターゲット画像に対応する位置が所定の順番通りに指定されたと判定された回数に基づいて認証成功と判定する認証判定手段と、を備え、前記画像制御手段は、ターゲット画像を複数同時に表示させ、前記ターゲット画像の各々は順番を示す不明瞭な文字を含む画像であり、前記判定手段は、前記複数のターゲット画像について、前記ターゲット画像に対応する位置が前記順番を示す不明瞭な文字の順に指定されたかを判定することを特徴とする。
【手続補正４】
【補正対象書類名】明細書
【補正対象項目名】０００９
【補正方法】変更
【補正の内容】
【０００９】
請求項６に記載の発明は、判定装置であって、ターゲット画像を画面上へ表示させる画像制御手段と、前記画面上で指定された指定位置を取得する取得手段と、前記画面上に表示されたターゲット画像に対応する位置が所定の順番通りに指定されたかを判定する判定手段と、を備え、前記画像制御手段は、前記ターゲット画像として前記画面上の複数の位置を含むルートを示す画像をランダムに表示させ、前記判定手段は、前記ターゲット画像に含まれる前記複数の位置が前記ルート上の順番通りに指定されたと判定した場合に、認証成功と判定することを特徴とする。
【手続補正５】
【補正対象書類名】明細書
【補正対象項目名】００１０
【補正方法】変更
【補正の内容】
【００１０】
請求項７に記載の発明は、コンピュータを備える判定装置により実行される判定プログラムであって、ターゲット画像を画面上に表示位置を任意に変えながら表示させる画像制御手段、前記画面上で指定された指定位置を取得する取得手段、前記画面上に表示されたターゲット画像に対応する位置が所定の順番通りに指定されたかを判定する判定手段、前記判定手段により前記ターゲット画像に対応する位置が所定の順番通りに指定されたと判定された回数に基づいて認証成功と判定する認証判定手段と、として前記コンピュータを機能させ、前記画像制御手段は、前記ターゲット画像を１つ表示させ、前記ターゲット画像の位置が所定の順番通り指定されたと前記判定手段が判定した場合には、新しいターゲット画像を順次１つずつ表示させることを特徴とする。
【手続補正６】
【補正対象書類名】明細書
【補正対象項目名】００１１
【補正方法】変更
【補正の内容】
【００１１】
請求項８に記載の発明は、コンピュータを備える判定装置により実行される判定プログラムであって、ターゲット画像を画面上に表示位置を任意に変えながら表示させる画像制御手段、前記画面上で指定された指定位置を取得する取得手段、前記画面上に表示されたターゲット画像に対応する位置が所定の順番通りに指定されたかを判定する判定手段、前記判定手段により前記ターゲット画像に対応する位置が所定の順番通りに指定されたと判定された回数に基づいて認証成功と判定する認証判定手段と、として前記コンピュータを機能させ、前記画像制御手段は、ターゲット画像を複数同時に表示させ、前記ターゲット画像の各々は順番を示す不明瞭な文字を含む画像であり、前記判定手段は、前記複数のターゲット画像について、前記ターゲット画像に対応する位置が前記順番を示す不明瞭な文字の順に指定されたかを判定することを特徴とする。
【手続補正７】
【補正対象書類名】明細書
【補正対象項目名】００１２
【補正方法】変更
【補正の内容】
【００１２】
請求項９に記載の発明は、コンピュータを備える判定装置により実行される判定プログラムであって、ターゲット画像を画面上へ表示させる画像制御手段、前記画面上で指定された指定位置を取得する取得手段、前記画面上に表示されたターゲット画像に対応する位置が所定の順番通りに指定されたかを判定する判定手段、として前記コンピュータを機能させ、前記画像制御手段は、前記ターゲット画像として前記画面上の複数の位置を含むルートを示す画像をランダムに表示させ、前記判定手段は、前記ターゲット画像に含まれる前記複数の位置が前記ルート上の順番通りに指定されたと判定した場合に、認証成功と判定することを特徴とする。
【国際調査報告】
2013094065.tif 000011
2013094065.tif 000012